【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
情報処理装置のプリンタドライバにより生成される印刷ジョブを受信処理可能な印刷装置であって、
受信する印刷ジョブの個々の属性情報を管理する属性データベース手段と、
前記印刷ジョブのＰＤＬデータ部分を一時的に記憶するＰＤＬ記憶手段と、
前記印刷ジョブを受信し、当該印刷ジョブに含まれる属性部分を第１の復号鍵情報に基づいて復号し、当該復号により取り出された属性部分を前記属性データベース手段に登録し、さらに、当該印刷ジョブに含まれる前記ＰＤＬデータ部分を暗号化したまま前記ＰＤＬ記憶手段に記憶する印刷ジョブ解釈手段と、
ユーザ操作によって前記ＰＤＬ記憶手段に記憶された印刷ジョブから選択された印刷ジョブの印刷指示を行う印刷指示手段と、
前記印刷指示手段によって印刷指示された印刷ジョブの暗号化されているＰＤＬデータを第２の復号鍵情報に基づいて復号化するＰＤＬデータ復号化手段と、
を有することを特徴とする印刷装置。
【請求項２】
印刷装置が所有する秘密鍵情報と公開鍵情報とを鍵ペア情報として管理する公開鍵管理手段と、
前記公開鍵管理手段によって管理された鍵ペア情報のうち、前記公開鍵情報を前記情報処理装置に通知する公開鍵通知手段とを有することを特徴とする請求項１記載の印刷装置。
【請求項３】
前記印刷ジョブ解釈手段は、属性部分の復号化の際に、復号化対象となるデータに対して復号化の後段で、可逆圧縮方式による伸張処理を行うことを特徴とする請求項１又は２に記載の印刷装置。
【請求項４】
前記ＰＤＬデータ復号化手段は、ＰＤＬデータ部分の復号化の際に、復号化対象となるデータに対して復号化の後段で、可逆圧縮方式による伸張処理を行うことを特徴とする請求項１乃至３のいずれか１項に記載の印刷装置。
【請求項５】
受信する印刷ジョブの個々の属性情報を管理する属性データベース手段を備え、情報処理装置のプリンタドライバにより生成される印刷ジョブを受信処理可能な印刷装置におけるデータ処理方法であって、
前記印刷ジョブのＰＤＬデータ部分を一時的にＰＤＬ記憶手段に記憶するＰＤＬ記憶ステップと、
前記印刷ジョブを受信し、当該印刷ジョブに含まれる属性部分を第１の復号鍵情報に基づいて復号し、当該復号により取り出された属性部分を前記属性データベース手段に登録し、さらに、当該印刷ジョブに含まれる前記ＰＤＬデータ部分を暗号化したまま前記ＰＤＬ記憶手段に記憶する印刷ジョブ解釈ステップと、
ユーザ操作によって前記ＰＤＬ記憶手段に記憶された印刷ジョブから選択された印刷ジョブの印刷指示を行う印刷指示ステップと、
前記印刷指示ステップによって印刷指示された印刷ジョブの暗号化されているＰＤＬデータを第２の復号鍵情報に基づいて復号化するＰＤＬデータ復号化ステップと、
を有することを特徴とするデータ処理方法。
【請求項６】
印刷装置が所有する秘密鍵情報と公開鍵情報とを鍵ペア情報として管理する公開鍵管理ステップと、
前記公開鍵管理ステップによって管理された鍵ペア情報のうち、前記公開鍵情報を前記情報処理装置に通知する公開鍵通知ステップとを有することを特徴とする請求項５記載のデータ処理方法。
【請求項７】
前記印刷ジョブ解釈ステップは、属性部分の復号化の際に、復号化対象となるデータに対して復号化の後段で、可逆圧縮方式による伸張処理を行うことを特徴とする請求項５又は６に記載のデータ処理方法。
【請求項８】
前記ＰＤＬデータ復号化ステップは、ＰＤＬデータ部分の復号化の際に、復号化対象となるデータに対して復号化の後段で、可逆圧縮方式による伸張処理を行うことを特徴とする請求項５乃至７のいずれか１項に記載のデータ処理方法。
【請求項９】
請求項５乃至８のいずれか１項に記載のデータ処理方法をコンピュータに実行させるためのプログラムを格納したことを特徴とするコンピュータが読み取り可能な記憶媒体。
【請求項１０】
請求項５乃至８のいずれか１項に記載のデータ処理方法をコンピュータに実行させることを特徴とするプログラム。
【手続補正２】
【補正対象書類名】明細書
【補正対象項目名】発明の名称
【補正方法】変更
【補正の内容】
【発明の名称】印刷装置、データ処理方法、記憶媒体、プログラム
【手続補正３】
【補正対象書類名】明細書
【補正対象項目名】０００１
【補正方法】変更
【補正の内容】
【０００１】
本発明は、情報処理装置のプリンタドライバにより生成される印刷ジョブを受信処理可能な印刷装置のデータ処理に関するものである。
【手続補正４】
【補正対象書類名】明細書
【補正対象項目名】００１９
【補正方法】変更
【補正の内容】
【００１９】
本発明は、前記の課題を解決するためになされたもので、本発明の目的は、情報処理装置から受信する印刷ジョブの属性部分を復号鍵で復号し、ＰＤＬデータについては暗号化した状態で印刷ジョブを記憶し、ＰＤＬデータについては印刷指示されるまで暗号化した状態で記憶できる仕組みを提供することである。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
本発明に係る印刷装置は、以下の特徴的構成を備える。
情報処理装置のプリンタドライバにより生成される印刷ジョブを受信処理可能な印刷装置であって、受信する印刷ジョブの個々の属性情報を管理する属性データベース手段と、前記印刷ジョブのＰＤＬデータ部分を一時的に記憶するＰＤＬ記憶手段と前記印刷ジョブを受信し、当該印刷ジョブに含まれる属性部分を第１の復号鍵情報に基づいて復号し、当該復号により取り出された属性部分を前記属性データベース手段に登録し、さらに、当該印刷ジョブに含まれる前記ＰＤＬデータ部分を暗号化したまま前記ＰＤＬ記憶手段に記憶する印刷ジョブ解釈手段と、ユーザ操作によって前記ＰＤＬ記憶手段に記憶された印刷ジョブから選択された印刷ジョブの印刷指示を行う印刷指示手段と、前記印刷指示手段によって印刷指示された印刷ジョブの暗号化されているＰＤＬデータを第２の復号鍵情報に基づいて復号化するＰＤＬデータ復号化手段とを有することを特徴とする。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】変更
【補正の内容】
【００４４】
本発明によれば、情報処理装置から受信する印刷ジョブの属性部分を復号鍵で復号し、ＰＤＬデータについては暗号化した状態で印刷ジョブを記憶し、ＰＤＬデータについては印刷指示されるまで暗号化した状態で記憶できる。